Podtech/llm-jp-corpus-v4-ja_patent huggingface dataset:
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
内燃機関の単一の排気ポートに接続する単一の入口部をケーシングの上流に、単一の出口部を前記ケーシングの下流に具備する排気ガス処理装置であって、
前記ケーシングの屈曲部より上流側の第１ハウジング内に同軸状に第１浄化装置群を、下流側の第２ハウジング内に同軸状に第２浄化装置群をそれぞれ収納し、
前記第１ハウジングと前記第２ハウジングは前記ケーシングへそれぞれ嵌挿固定され、
前記第１ハウジングの後端部外周は前記ケーシング内に露出し、
更に、前記第２ハウジング後端部には下流側コーン部が接続されるとともに、該下流側コーン部の後端には前記出口部が形成され、
前記内燃機関の側面の面直視において、前記入口部を挟んで前記第１浄化装置群の第１中心軸とは反対側に前記出口部を配置するとともに、
前記第１中心軸と平行な方向で前記第１浄化装置群と前記第２浄化装置群とをラップさせたことを特徴とする排気ガス処理装置。
【請求項２】
前記第１浄化装置群および前記第２浄化装置群は、三元触媒担体、パティキュレートフィルタ体、電気加熱式触媒担体のうちのひとつ又は複数から構成される、請求項１に記載の排気ガス処理装置。
【請求項３】
前記第１浄化装置群は、上流側に配置された低温活性に優れる前段三元触媒担体とその下流に間隔を持って配置された高温活性に優れる後段三元触媒担体にて構成され、前記第２浄化装置群は少なくとも一つのガソリンパティキュレートフィルタ体にて構成されることを特徴とする、請求項２に記載の排気ガス処理装置。
【手続補正２】
【補正対象書類名】明細書
【補正対象項目名】０００８
【補正方法】変更
【補正の内容】
【０００８】  前述の課題を解決するために、内燃機関の側面に取付けられ、前記内燃機関の単一の排気ポートに接続する単一の入口部をケーシングの上流に、単一の出口部を前記ケーシングの下流に具備する排気ガス処理装置であって、前記ケーシングの屈曲部より上流側の第１ハウジング内に同軸状に第１浄化装置群を、下流側の第２ハウジング内に同軸状に第２浄化装置群をそれぞれ収納し、前記第１ハウジングと前記第２ハウジングは前記ケーシングへそれぞれ嵌挿固定され、前記第１ハウジングの後端部外周は前記ケーシング内に露出し、更に、前記第２ハウジング後端部には下流側コーン部が接続されるとともに、該下流側コーン部の後端には前記出口部が形成され、前記内燃機関の側面の面直視において、前記入口部を挟んで前記第１浄化装置群の第１中心軸とは反対側に前記出口部を配置するとともに、前記第１中心軸と平行な方向で前記第１浄化装置群と前記第２浄化装置群とをラップさせた。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
遊技領域が形成された遊技盤を備え、前記遊技盤に植設された遊技釘によって前記遊技領域を流下する遊技球の流下方向が変化可能に構成された遊技機において、
前記遊技領域内に打込まれた遊技球を開口部より受入可能とされた受入口と、
左右に延びていると共に上面を遊技球が転動可能なように左右のうちの一方が低くされた案内部材を遊技釘が植設される前記遊技盤の前面よりも前方の前記遊技領域内に突出可能な突出案内手段と、
を備え、
前記突出案内手段は、前記案内部材を前記案内部材の上面を遊技球が転動可能となる位置まで前記遊技領域内に突出させることで前記案内部材の上面と前記受入口の前記開口部を連通させ、前記案内部材の上面を転動する遊技球を前記受入口へ受け入れ可能とし、
前記案内部材が前記遊技領域内に突出させていない状態においては、前記受入口へ遊技球が受け入れられないように前記案内部材の上面と前記受入口の前記開口部が連通しないようにさせているとともに、前記開口部からの遊技球の受け入れを阻止するように前記開口部の前方に受入阻止部材を位置させており、
前記受入口の前記開口部より受け入れた遊技球を検出する検出部を遊技釘が植設される前記遊技盤の前面よりも前方に設けることで前記開口部より受け入れた遊技球を迅速に検出可能にしている
ことを特徴とする遊技機。
【手続補正２】
【補正対象書類名】明細書
【補正対象項目名】０００７
【補正方法】変更
【補正の内容】
【０００７】
上記課題を解決するために、本願発明は、遊技領域が形成された遊技盤を備え、前記遊技盤に植設された遊技釘によって前記遊技領域を流下する遊技球の流下方向が変化可能に構成された遊技機において、
前記遊技領域内に打込まれた遊技球を開口部より受入可能とされた受入口と、
左右に延びていると共に上面を遊技球が転動可能なように左右のうちの一方が低くされた案内部材を遊技釘が植設される前記遊技盤の前面よりも前方の前記遊技領域内に突出可能な突出案内手段と、
を備え、
前記突出案内手段は、前記案内部材を前記案内部材の上面を遊技球が転動可能となる位置まで前記遊技領域内に突出させることで前記案内部材の上面と前記受入口の前記開口部を連通させ、前記案内部材の上面を転動する遊技球を前記受入口へ受け入れ可能とし、
前記案内部材が前記遊技領域内に突出させていない状態においては、前記受入口へ遊技球が受け入れられないように前記案内部材の上面と前記受入口の前記開口部が連通しないようにさせているとともに、前記開口部からの遊技球の受け入れを阻止するように前記開口部の前方に受入阻止部材を位置させており、
前記受入口の前記開口部より受け入れた遊技球を検出する検出部を遊技釘が植設される前記遊技盤の前面よりも前方に設けることで前記開口部より受け入れた遊技球を迅速に検出可能にしている
ことを特徴とする遊技機。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
複数の電子部品を実装した基板を備える遊技機において、
前記複数の電子部品には、外観による識別が困難な識別困難電子部品を含んでおり、
前記識別困難電子部品は、透明部を有する電子部品であり、
前記基板の実装面のうちの前記識別困難電子部品の実装される領域の少なくとも一部には、前記識別困難電子部品のうちの特定の識別困難電子部品を識別可能にする標識印刷部が形成され、
前記標識印刷部は、前記特定の識別困難電子部品のみに対応して設けられ、当該標識印刷部の全域が所定の印刷パターンで印刷され、
前記所定の印刷パターンの少なくとも一部は、前記特定の識別困難電子部品が実装された状態でも前記透明部を通して視認可能とされ、
さらに、前記基板の実装面は略全域を暗色の絶縁膜で覆われ、当該暗色の絶縁膜の上に前記標識印刷部が配置され、当該標識印刷部は明色である、
ことを特徴とする遊技機。
【手続補正２】
【補正対象書類名】明細書
【補正対象項目名】０００８
【補正方法】変更
【補正の内容】
【０００８】
（解決手段１）
複数の電子部品を実装した基板を備える遊技機において、
前記複数の電子部品には、外観による識別が困難な識別困難電子部品を含んでおり、
前記識別困難電子部品は、透明部を有する電子部品であり、
前記基板の実装面のうちの前記識別困難電子部品の実装される領域の少なくとも一部には、前記識別困難電子部品のうちの特定の識別困難電子部品を識別可能にする標識印刷部が形成され、
前記標識印刷部は、前記特定の識別困難電子部品のみに対応して設けられ、当該標識印刷部の全域が所定の印刷パターンで印刷され、
前記所定の印刷パターンの少なくとも一部は、前記特定の識別困難電子部品が実装された状態でも前記透明部を通して視認可能とされ、
さらに、前記基板の実装面は略全域を暗色の絶縁膜で覆われ、当該暗色の絶縁膜の上に前記標識印刷部が配置され、当該標識印刷部は明色である、
ことを特徴とする遊技機。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
遊技機裏面側の上部に備えられており、島設備から供給される遊技球を貯留可能な貯留領域を有する貯留部と、
前記貯留領域に貯留されている遊技球を、所定の払出装置が位置する下流側に向けて球誘導可能なタンクレール部と、
を具備する遊技機において、
前記貯留領域の上方開口を区画する区画壁部と、
前記区画壁部により区画された前記上方開口の外側に形成された非貯留領域部と、
備え、
所定事象によって前記非貯留領域部に位置した遊技球を前記タンクレール部に流入させうるように、前記タンクレール部側に向けて遊技球を誘導可能な特定傾斜面が前記非貯留領域部に形成されてなり、
前記タンクレール部には、上方の開口の一部を閉鎖する特定部材が設けられており、
前記特定傾斜面を流下した遊技球は、前記特定部材により閉鎖されずに露呈している所定の開口箇所を通じて前記タンクレール部に流入しうるものであり、
前記タンクレール部の側壁部のうち、前記所定の開口箇所を形成する側壁部の高さは、遊技球の直径の２倍よりも大きい
ことを特徴とする遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】変更
【補正の内容】
【０００４】
しかしながら、以下の特許文献１に記載のような従来の遊技機構成では、遊技機裏面側の利便性の更なる向上を図ることが困難であった。
【手続補正４】
【補正対象書類名】明細書
【補正対象項目名】０００６
【補正方法】変更
【補正の内容】
【０００６】
本発明は、このような事情に鑑みてなされたものであり、その目的とするところは、裏面側を新たな態様にした遊技機を提供することにある。
【手続補正５】
【補正対象書類名】明細書
【補正対象項目名】０００７
【補正方法】変更
【補正の内容】
【０００７】
本発明は、
遊技機裏面側の上部に備えられており、島設備から供給される遊技球を貯留可能な貯留領域を有する貯留部と、
前記貯留領域に貯留されている遊技球を、所定の払出装置が位置する下流側に向けて球誘導可能なタンクレール部と、
を具備する遊技機において、
前記貯留領域の上方開口を区画する区画壁部と、
前記区画壁部により区画された前記上方開口の外側に形成された非貯留領域部と、
備え、
所定事象によって前記非貯留領域部に位置した遊技球を前記タンクレール部に流入させうるように、前記タンクレール部側に向けて遊技球を誘導可能な特定傾斜面が前記非貯留領域部に形成されてなり、
前記タンクレール部には、上方の開口の一部を閉鎖する特定部材が設けられており、
前記特定傾斜面を流下した遊技球は、前記特定部材により閉鎖されずに露呈している所定の開口箇所を通じて前記タンクレール部に流入しうるものであり、
前記タンクレール部の側壁部のうち、前記所定の開口箇所を形成する側壁部の高さは、遊技球の直径の２倍よりも大きい
ことを特徴とする。
また、本発明とは別の発明として、以下の手段を参考的に開示する。
手段１：遊技機において、
「遊技が行われる遊技領域が前面に形成されている透明平板状のパネル板と、
前記遊技領域の外周の少なくとも一部を区画する透光性を有した前構成部材と、
該前構成部材の後側に設けられ、前記パネル板の外周を保持するパネルホルダと、
該パネルホルダに設けられており、前記パネル板の側面に光を入射可能な発光手段が実装されているパネル装飾基板と、
前記パネル板の後面に形成されており、前方から常時視認することができると共に、前記発光手段により前記パネル板の側面から入射された光を前方へ反射させて該パネル板の後面を発光装飾する装飾パターンと
を具備している」ものであることを特徴とする。
【手続補正６】
【補正対象書類名】明細書
【補正対象項目名】０１１１
【補正方法】変更
【補正の内容】
【０１１１】
本発明によれば、利便性を向上させた遊技機を提供することができる。
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
開状態と閉状態とを採り得る可変入賞口と、
可変入賞口内に設けられている遊技球が通過可能な特定領域と、
遊技の進行に合わせて所定の演出を表示する演出表示装置と、
遊技の進行に合わせて所定の演出音を出力するスピーカと、
遊技者が操作可能な操作部材と
を備え、
始動口に入球したことに基づいて当否抽選を実行し、当否抽選に当選したことにより複数の単位遊技が実行される特別遊技を有し、
特別遊技における所定の単位遊技の実行中において遊技球が特定領域を通過することで、特別遊技終了後に当否抽選の結果が当選となる確率が所定確率よりも高確率となる高確率抽選状態となるよう構成され、
特別遊技の実行中においては、スピーカから出力されるＢＧＭを変更するためのＢＧＭ選択画面を演出表示装置に表示可能であり、
前記ＢＧＭ選択画面を表示している状況にて、操作部材が操作されることに基づいて、スピーカから出力されるＢＧＭを変更可能に構成され、
特別遊技の実行中に、操作部材が操作されることに基づいて変更可能なＢＧＭがスピーカから出力可能に構成され、
特別遊技における前記所定の単位遊技の実行中においては、特別遊技における前記所定の単位遊技以外の単位遊技の実行中よりも、前記変更可能なＢＧＭの音量が小さくなるよう構成され、
特別遊技中に出力されるＢＧＭは、当該特別遊技の終了時に実行される終了演出中も当該特別遊技中よりも小さい音量にて継続して出力可能に構成されている
ことを特徴とする遊技機。
【手続補正２】
【補正対象書類名】明細書
【補正対象項目名】０００５
【補正方法】変更
【補正の内容】
【０００５】
本態様に係る遊技機は、
遊技球が入球可能な始動口と、
開状態と閉状態とを採り得る可変入賞口と、
可変入賞口内に設けられている遊技球が通過可能な特定領域と、
遊技の進行に合わせて所定の演出を表示する演出表示装置と、
遊技の進行に合わせて所定の演出音を出力するスピーカと、
遊技者が操作可能な操作部材と
を備え、
始動口に入球したことに基づいて当否抽選を実行し、当否抽選に当選したことにより複数の単位遊技が実行される特別遊技を有し、
特別遊技における所定の単位遊技の実行中において遊技球が特定領域を通過することで、特別遊技終了後に当否抽選の結果が当選となる確率が所定確率よりも高確率となる高確率抽選状態となるよう構成され、
特別遊技の実行中においては、スピーカから出力されるＢＧＭを変更するためのＢＧＭ選択画面を演出表示装置に表示可能であり、
前記ＢＧＭ選択画面を表示している状況にて、操作部材が操作されることに基づいて、スピーカから出力されるＢＧＭを変更可能に構成され、
特別遊技の実行中に、操作部材が操作されることに基づいて、変更可能なＢＧＭがスピーカから出力可能に構成され、
特別遊技における前記所定の単位遊技の実行中においては、特別遊技における前記所定の単位遊技以外の単位遊技の実行中よりも、前記変更可能なＢＧＭの音量が小さくなるよう構成され、
特別遊技中に出力されるＢＧＭは、当該特別遊技の終了時に実行される終了演出中も当該特別遊技中よりも小さい音量にて継続して出力可能に構成されている
ことを特徴とする遊技機である。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
ミッドソールと、
前記ミッドソールに着脱可能に連結されたアッパーと、
前記ミッドソールに着脱可能に連結されたソールと、
を含み、
前記アッパーは、前記ミッドソールのチャネルによって受容され、かつ、前記ミッドソールのチャネル内に係止されるように構成された係止部材を備える履物物品。
【請求項２】
請求項１に記載の履物物品であって、ブーツ、靴、サンダル、またはウェッジを含む履物物品。
【請求項３】
請求項１に記載の履物物品であって、前記アッパーは、複数の保持部材によって、前記ミッドソールに着脱可能に連結された履物物品。
【請求項４】
請求項１に記載の履物物品であって、前記ソールは、複数の保持部材によって、前記ミッドソールに着脱可能に連結された履物物品。
【請求項５】
請求項３または４に記載の履物物品であって、前記保持部材は、プレスフィット保持部材を含む履物物品。
【請求項６】
請求項１に記載の履物物品であって、前記ソールは、前記履物物品の正面部分を支持するための前方ソールと、前記履物物品の後方部分を支持するためのヒールとを備える履物物品。
【請求項７】
請求項１に記載の履物物品であって、前記ソールは、前記履物物品の着用者の足を支持するためのインソールを備える履物物品。
【請求項８】
請求項１に記載の履物物品であって、前記アッパーは、前記インソールによって、前記ミッドソールに取り付けられた履物物品。
【請求項９】
請求項１に記載の履物物品であって、更に、前記ミッドソールに容器を備え、前記容器は、ａ）前記靴の構成要素、ｂ）前記ミッドソールを支持するためのシャンク、または、ｃ）近距離通信装置のいずれかを収めるように構成された履物物品。
【請求項１０】
請求項１に記載の履物物品であって、前記アッパーは、第１アッパー部分および第２アッパー部分を備える履物物品。
【請求項１１】
請求項１に記載の履物物品であって、前記ミッドソールは、長さ調節が可能である履物物品。
【請求項１２】
請求項１に記載の履物物品であって、
前記ソールに着脱可能に連結されたアッパーと、
前記ソールに着脱可能に連結されたつま先支持部と、
を含む履物物品。
【請求項１３】
請求項１２に記載の履物物品であって、前記つま先支持部は、ボスを備える履物物品。
【請求項１４】
請求項１２に記載の履物物品であって、前記ソールは、前記アッパーに連結されたミッドソールと、前記ミッドソールに着脱可能に連結されたアウトソールとを備える履物物品。
【請求項１５】
請求項１２に記載の履物物品であって、前記アッパーは、複数の保持部材を使用して、前記ソールに着脱可能に連結された履物物品。
【請求項１６】
請求項１に記載の履物物品であって、
前記ソールに取り付けられた第１アッパー部分と、
靴を着用する間に前記第１アッパー部分に連結され得るように、前記第１アッパー部分に着脱可能に連結された第２アッパー部分と
を含む履物物品。
【請求項１７】
請求項１６に記載の履物物品であって、前記第１アッパー部分は、前記ソールに着脱可能に取り付けられた履物物品。
【請求項１８】
請求項１６に記載の履物物品であって、前記ソールは、前記第１アッパー部分に連結されたミッドソールと、前記ミッドソールに着脱可能に連結されたアウトソールとを備える履物物品。
【請求項１９】
請求項１６に記載の履物物品であって、前記第２アッパー部分は、内部ポケットを含む履物物品。
【請求項２０】
請求項１６に記載の履物物品であって、前記第２アッパー部分は、ジッパー、靴紐、または面ファスナーによって、前記第１アッパー部分に着脱可能に連結された履物物品。
【請求項２１】
請求項１に記載の履物物品の組み立て用キットであって、
ミッドソールと、
前記ミッドソールに着脱可能に連結するためのソールと、
前記ミッドソールに着脱可能に連結するための各アッパーを備える複数のアッパーと、を含み、
前記ミッドソール、ソール、および複数のアッパーのうちの１つのアッパーは、請求項１に記載した靴を形成するように構成された、履物物品の組み立て用キット。
【請求項２２】
請求項２１に記載のキットであって、更に、ヒールおよびシャンクを備え、前記シャンクは、前記ヒールの高さにおいて前記ミッドソールを支持するように構成されたキット。
【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
人の手足に対して、その手足の周りを包んだ場合に、圧縮力を加える短伸縮の手足圧縮衣類であって、
前記の短伸縮の手足圧縮衣類は、平面の短伸縮の織物材料を含み、
前記の平面の短伸縮の織物材料は：
実質的に互いに平行に、第一の方向で、前記の短伸縮の織物材料の平面内に配列された、第一の複数の実質的に弾性の繊維；ここで、前記の第一の複数の実質的に弾性の繊維は、それらの未延伸の長さの少なくとも１５％の弾性限度まで伸縮可能である；
および、
前記の短伸縮の織物材料の平面内に配列された、第一の複数の実質的に非弾性の繊維；ここで、前記の第一の複数の実質的に非弾性の繊維は、互いに織り合わせられて織物の構成要素を形成し、前記の織物の構成要素は、前記の第一の方向に、前記弾性限度よりも少ない最大伸長まで伸長可能であるように構成される；
を含み、
ここで、前記の第一の複数の実質的に弾性の繊維および第一の複数の実質的に非弾性の繊維は、互いに織り合わせられて単一層の短伸縮の織物材料を形成し、
ここで、前記の短伸縮の織物材料においては、伸縮の末端は、材料の未延伸の長さの１００％未満で不意に到達される、
手足圧縮衣類。
【請求項２】
請求項１の手足圧縮衣類であって、
前記の平面の短伸縮の織物材料は、前記の単一層の短伸縮の織物材料内で緩く織り合わされた複数の実質的に非弾性の外部繊維をさらに含み、
ここで、前記の複数の実質的に非弾性の外部繊維は、前記の平面の短伸縮の織物材料の外側を実質的にカバーする、
手足圧縮衣類。
【請求項３】
請求項１または２の手足圧縮衣類であって、
前記の平面の短伸縮の織物材料は、前記の単一層の短伸縮の織物材料内で緩く織り合わされた複数の実質的に非弾性の内部繊維をさらに含み、
ここで、第三の複数の実質的に非弾性の繊維は、前記の平面の短伸縮の織物材料の内側を実質的にカバーする、
手足圧縮衣類。
【請求項４】
請求項１から３のいずれかの手足圧縮衣類であって、
前記の平面の短伸縮の織物材料は、最大伸長で手足の周りを包んだ場合に、少なくとも１ｋＰａの圧縮を加えるように構成される、
手足圧縮衣類。
【請求項５】
請求項１から４のいずれかの手足圧縮衣類であって、
前記の平面の短伸縮の織物材料は、前記の第一の方向に対して実質的に直角および互いに実質的に平行である第二の方向で前記の短伸縮の織物材料の平面内に配列された第二の複数の実質的に非弾性の繊維をさらに含み、
ここで、前記の第一の複数の実質的に弾性の繊維、前記の第一の複数の実質的に非弾性の繊維、および、前記の第二の複数の実質的に非弾性の繊維は、互いに織り合わせられて単一層の短伸縮の織物材料を形成する、
手足圧縮衣類。
【請求項６】
請求項１から５のいずれかの手足圧縮衣類であって、
前記の平面の短伸縮の織物材料は、患者の手足の周りを包むためのバンドの形態で提供される、
手足圧縮衣類。
【請求項７】
請求項６の手足圧縮衣類であって、
前記バンドは、前記バンドを所定の位置に固定するために前記バンドの外部表面に連結するためのファスナーをその一方の末端に備える、
手足圧縮衣類。
【請求項８】
請求項６または７の手足圧縮衣類であって、
一緒に連結された複数の前記バンドを備える、
手足圧縮衣類。
【請求項９】
請求項６から８のいずれか一項の手足圧縮衣類であって、
患者の手足の周りを包むための、請求項６から８のいずれか一項のバンドとは異なる構造の安定化バンドをさらに備える、
手足圧縮衣類。
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
眼に挿入される眼内レンズ（９０）を加熱及び保存するための容器システム（２００）であって、マガジン（４０）に予め装填された少なくとも一つのレンズ（９０）を保存するための容器（２１０）と、該容器（２１０）内の前記レンズ（９０）を加熱するための、前記容器（２１０）に組み込まれた加熱装置（２２０）と、を備え、
前記容器システム（２００）は、安定して立つように構成され、
前記容器（２１０）は、前記マガジン（４０）のための受け入れ領域（２１４）を有し、
前記レンズ（９０）と共にある前記マガジン（４０）は、閉じた前記容器（２１０）に置かれ、該マガジン（４０）が前記容器（２１０）を開いた後にインジェクタ（１００）と接続可能であることを特徴とする、容器システム。
【請求項２】
請求項１に記載の容器システム（２００）であって、前記容器（２１０）は、前記レンズ（９０）を保存及び／又は加熱するための液体（２１２）が予め充填されている、容器システム。
【請求項３】
請求項１又は２に記載の容器システム（２００）であって、前記加熱装置（２２０）は前記保存されたレンズ（９０）を約２５℃〜４０℃の範囲の温度に加熱するように構成される、容器システム。
【請求項４】
請求項１〜３の何れか一項に記載の容器システム（２００）であって、前記加熱装置（２２０）は、潜熱蓄熱及び／又は電気式加熱装置を備える、容器システム。
【請求項５】
請求項１〜４の何れか一項に記載の容器システム（２００）であって、前記加熱装置（２２０）は前記容器（２１０）の外面に配置される、容器システム。
【請求項６】
請求項１〜５の何れか一項に記載の容器システム（２００）であって、前記加熱装置（２２０）が駆動するためのスイッチを備える、並びに／又は、前記加熱装置（２２０）が手動及び／若しくは自動で駆動させることができる、容器システム。
【請求項７】
請求項１〜６の何れか一項に記載の容器システム（２００）であって、前記加熱装置（２２０）と前記容器（２１０）とは、前記加熱装置（２２０）が前記容器（２１０）の開放時に駆動可能となるように、相互に連結される、容器システム。
【請求項８】
請求項１〜７の何れか一項に記載の容器システム（２００）であって、前記容器（２１０）の下面（２１５）は、該容器（２１０）の中心領域よりも大きな断面積を有する、容器システム。
【請求項９】
請求項１〜８の何れか一項に記載の容器システム（２００）であって、前記容器（２１０）は、好適に、実質的に平面の下面（２１５）及び／又は該下面（２１５）に対して傾斜した上面（２１６）を有する、容器システム。
【請求項１０】
請求項８に記載の容器システム（２００）であって、前記容器（２１０）は、前記下面（２１５）に対して傾斜し、好適には実質的に平面の第１側壁（２１７）、及び／又は、前記下面（２１５）に対して傾斜し、好適にはステップ（２１９）をもつ第２側壁（２１８）、を有する、容器システム。
【請求項１１】
請求項１〜１０の何れか一項に記載の容器システム（２００）であって、前記容器（２１０）は、前記インジェクタ（１００）の一部のための受け入れ領域（２１４）を有し、該受け入れ領域が、前記マガジン（６０）及び／又は前記インジェクタ（１００）に実質的に適合する、容器システム。
【請求項１２】
請求項１〜１１の何れか一項に記載の容器システム（２００）であって、前記受入れ領域（２１４）の長手方向軸（Ｌ）は、前記容器（２１０）の前記下面（２１５）に対して傾斜している、容器システム。
【請求項１３】
請求項１〜１２の何れか一項に記載の容器システム（２００）であって、前記容器（２１０）及び／又は前記マガジン（４０）は、実質的に透明である、容器システム。
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
一区画の土地に配置された１つまたは複数のセンサ（１４０、１４２）を含んでなるセンサ機器（３０）と、
前記区画に配置され、前記区画に対して水を選択的に与えるように構成された散水機器（２０）と、
ユーザ端末（５０）と、
第１のネットワークを介して、前記センサ機器（３０）と、散水コンピュータを備えた前記散水機器（２０）と通信し、第２のネットワークを介して前記ユーザ端末（５０）と通信するように構成されたゲートウェイ（４０）とを備える、システム（１０）において、
前記ユーザ端末（５０）は、前記ゲートウェイ（４０）を介して前記センサ機器（３０）および前記散水機器（２０）と通信するためのリモート・インタフェースを提供するように構成された処理回路（３１０）を備え、
前記散水コンピュータは前記リモート・インタフェースを利用できる場合であってもユーザが手動で前記散水コンピュータを制御するためのユーザインタフェースを有する、システム（１０）。
【請求項２】
前記散水コンピュータの前記ユーザインタフェースはバルブの開閉に用いられる、請求項１に記載のシステム（１０）。
【請求項３】
前記コンピュータの前記ユーザインタフェースは前記バルブを操作するために、前記散水コンピュータの前面パネル上に設けられるローカル・ボタンを備える、請求項２に記載のシステム（１０）。
【請求項４】
前記コンピュータの前記ユーザインタフェースはライト・アセンブリを備える、請求項２に記載のシステム（１０）。
【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
ゲームを実行可能な遊技制御手段を備える遊技機において、
前記遊技制御手段は、
プログラムを記憶するプログラム記憶手段と、
前記プログラムによって所定の演算処理を行う演算処理手段と、
前記演算処理手段によって更新される情報が記憶可能な更新情報記憶手段と、
前記ゲームに関する確率を設定可能な設定手段と、を備え、
電源が投入された場合に、表示手段の表示態様を特定の状態にすることを特徴とする遊技機。
【手続補正２】
【補正対象書類名】明細書
【補正対象項目名】０００１
【補正方法】変更
【補正の内容】
【０００１】
本発明は、ゲームを実行可能な遊技制御手段を備える遊技機に関する。
【手続補正３】
【補正対象書類名】明細書
【補正対象項目名】０００６
【補正方法】変更
【補正の内容】
【０００６】
本発明の代表的な一形態では、ゲームを実行可能な遊技制御手段を備える遊技機において、前記遊技制御手段は、プログラムを記憶するプログラム記憶手段と、前記プログラムによって所定の演算処理を行う演算処理手段と、前記演算処理手段によって更新される情報が記憶可能な更新情報記憶手段と、前記ゲームに関する確率を設定可能な設定手段と、を備え、電源が投入された場合に、表示手段の表示態様を特定の状態にする。
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
トングのアームの先にそれぞれピザカッターが装着されているものであり、これをピザカッタートングとし、トングを握って閉じると二枚のピザカッターの先端が１か所揃うようになっており、ピザ、パイ、クッキー、ケーキ、お好み焼き、チーズ等（以下ピザ等とする）に対してピザカッタートングを持ち、その刃が揃う部分をピザ等に押し当てることにより、ピザ等を切ることができ、二枚のピザカッター間で角度が付いているため、ピザ等を横に押し広げながら切ることができるため、通常のピザカッターに比べてピザ等を切ることが容易となることを特徴とするピザカッタートング。
【請求項２】
請求項１のピザカッタートングをしっかり開いたり、力が加わり易いように指掛けや、輪状や袋状等の指を入れるための指入れ等の指の固定手段を装着したことを特徴とするピザカッタートング。
【請求項３】
請求項１、請求項２のピザカッタートングのアームを途中で曲がった形状とし、またはそれぞれのアームに自由に可動する可動手段を設け、使う人がピザ等に力を掛けやすくしたり、二枚のピザカッター間の角度を調整できることを特徴とするピザカッタートング。
【請求項４】
請求項１から請求項３のピザカッタートングのそれぞれのアームに対して周方向に回転できる回転手段を設け、ピザカッターの刃が揃う部分を使う人が自由に変更可能としたことを特徴とするピザカッタートング。
【請求項５】
請求項１から請求項４のピザカッタートングのそれぞれのアームに伸縮できる伸縮手段を設け、トングを閉じたときにそれぞれのピザカッターの刃が揃わないようにでき、二枚のピザカッターで連続的にピザ等を切ることができることを特徴とするピザカッタートング。
【請求項６】
請求項１から請求項５のピザカッタートングのアームの素材にゴムのような弾性を発揮できる手段を一部または全部で使用し、ピザ等を切る際に手に力が入りすぎても、ピザ等の下の皿を傷つけることがなく、また、ピザ等を切る際力が入るとアームが弾性を発揮できる手段により外側に曲り、ピザカッター間の角度がより開くため、さらにピザ等を広げて切り易くなることを特徴とするピザカッタートング。
【請求項７】
請求項１から請求項６のピザカッタートングのアームの片方にピザカッター以外のナイフやフォークあるいは通常のトングの先等のピザカッター以外のものを装着し、片方のピザカッターの刃と揃えてピザ等を切ることも、あえて別々に使うこともできることを特徴とするピザカッタートング。
【請求項８】
請求項７のピザカッタートングのアームの途中にはめ込み式等の着脱手段を設け、ピザカッターをナイフやフォークあるいは通常のトングの先等のピザカッター以外のものに簡単に変更することができ、またピザカッターを洗浄する際に汚れ難いトング部分を外してピザカッターや、ナイフやフォークあるいは通常のトングの先等のピザカッター以外のもの等、汚れた部分のみ洗浄することができ、それ以外にも着脱できることにより、外したピザカッターや、ナイフやフォークあるいは通常のトングの先等のピザカッター以外のものを通常のピザカッター、ナイフやフォークあるいは通常のトングの先等のピザカッター以外のものとして単独で使用することもできることを特徴とするピザカッタートング。
【請求項９】
請求項１から請求項８のピザカッタートングを使用する際、特に切り難い箇所がある場合、その箇所でピザカッターの先端の刃が揃う部分をピザ等に押し付けながらトングを開くと、ピザ等を切り難い部分で切り口を横に押し広げて更に切り易くするという方法。
【請求項１０】
請求項１から請求項８のピザカッタートングはピザ等を切った後、通常のトングのようにピザ等を挟んで別の皿に移動する方法。
【請求項１１】
請求項１から請求項８のピザカッタートングを二枚のピザカッターを両方とも９０度近くまで週方向に回転させた場合、トングを握ることで二枚のピザカッターの刃をはさみのように擦り合わせて使用することもでき、そのためピザ等に対してピザカッタートングをはさみのように使用することができる方法。
【手続補正書】
【提出日】令和3年8月31日(2021.8.31)
【手続補正１】
【補正対象書類名】明細書
【補正対象項目名】００１５
【補正方法】変更
【補正の内容】
【００１５】
スロット１３２は、ステータコア１３１に備わる円環状のバックコア１３８からロータ１２に向かって径方向に延びる複数のティース（歯）１３４のうち隣合う２つのティース１３４の間に形成された溝である。スロット１３２のロータ１２側の端部は開口し、スロット開口部１３５が形成されている。
【手続補正２】
【補正対象書類名】明細書
【補正対象項目名】００１６
【補正方法】変更
【補正の内容】
【００１６】
図２は、本実施形態に係る磁性楔１７を備える前のステータ１３の部分断面図である。ステータ１３に形成されたスロット開口部１３５は、ティース１３４の端部から周方向に突出する突起部１３６により開口幅が狭められ、半閉型に形成されている（セミオープン・スロット型）。
【手続補正３】
【補正対象書類名】明細書
【補正対象項目名】００２６
【補正方法】変更
【補正の内容】
【００２６】
一方、平均粒径が６０μｍの鉄粉により形成された磁性楔１７を備える回転電機１００について、ＩＥ４に適合させるべく磁性楔１７における鉄粉割合を増加させた。混合体の鉄粉割合を５８％としたところ、従前の固定子ではＩＥ３だった回転電機１００の効率をＩＥ４に適合させることができた。そのときの磁性楔１７の密度は４．９×１０−６ｋｇ／ｍｍ３であった（図４参照）。このことから、少なくとも本実施例で使用した回転電機１００の仕様では、軟磁性材料粉末の平均粒径を６０μｍ以下とし、混合体における軟磁性材料粉末の割合を５８％以上とした磁性楔１７を作製すれば、回転電気の効率をＩＥ４に適合できることが判った。
【手続補正４】
【補正対象書類名】図面
【補正対象項目名】図１
【補正方法】変更
【補正の内容】
【図１】
2021058035.tif 000001
【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
複数相のコイル（８１１〜８１３）を有する回転電機（８０）の駆動を制御する回転電機制御装置であって、
前記コイルの各相に対応し、高電位側に接続される上アーム素子（２１〜２３）、および、前記上アーム素子の低電位側に接続され、対応する前記上アーム素子と相補的にオンオフされる下アーム素子（２４〜２６）を有するインバータ部（２０）と、
前記上アーム素子の高電位側、または、前記下アーム素子の低電位側の各相に設けられる電流検出素子（３１〜３３）を有する電流検出部（３０）と、
前記電流検出部から電流検出値を取得する電流取得部（７０）、前記電流検出値に基づいて前記コイルの通電を制御する通電制御部（６１）、および、前記電流検出値に基づく異常判定を行う異常判定部（６５）を有する制御部（６０）と、
を備え、
前記電流検出素子が設けられる側の前記上アーム素子または前記下アーム素子を検出対象素子とし、検出対象素子のデューティ比を対象デューティとすると、
前記異常判定部は、
前記対象デューティに応じ、前記電流検出値に基づく異常判定に用いる判定閾値を可変にし、
全相の前記検出対象素子がオンになり得る全オン出現タイミングにおける全相の電流和に基づく異常判定を行う場合、前記対象デューティが全オン閾値切替デューティ以上の場合の前記判定閾値は、前記対象デューティが前記全オン閾値切替デューティより小さい場合よりも小電流に対応する値である回転電機制御装置。
【請求項２】
前記通電制御部は、全相の電流和に基づく異常判定により異常が検出された場合、前記対象デューティを前記全オン閾値切替デューティ以上とし、かつ、３相変調にて前記コイルの通電を制限する請求項１に記載の回転電機制御装置。
【請求項３】
複数相のコイル（８１１〜８１３）を有する回転電機（８０）の駆動を制御する回転電機制御装置であって、
前記コイルの各相に対応し、高電位側に接続される上アーム素子（２１〜２３）、および、前記上アーム素子の低電位側に接続され、対応する前記上アーム素子と相補的にオンオフされる下アーム素子（２４〜２６）を有するインバータ部（２０）と、
前記上アーム素子の高電位側、または、前記下アーム素子の低電位側の各相に設けられる電流検出素子（３１〜３３）を有する電流検出部（３０）と、
前記電流検出部から電流検出値を取得する電流取得部（７０）、前記電流検出値に基づいて前記コイルの通電を制御する通電制御部（６１）、および、前記電流検出値に基づく異常判定を行う異常判定部（６５）を有する制御部（６０）と、
を備え、
前記電流検出素子が設けられる側の前記上アーム素子または前記下アーム素子を検出対象素子とし、検出対象素子のデューティ比を対象デューティとすると、
前記異常判定部は、
前記対象デューティに応じ、前記電流検出値に基づく異常判定に用いる判定閾値を可変にし、
全相の前記検出対象素子がオフになり得る全オフ出現タイミングにおける各相の前記電流検出値に基づく異常判定を行う場合、前記対象デューティが全オフ閾値切替デューティ以下の場合の前記判定閾値は、前記対象デューティが前記全オフ閾値切替デューティより大きい場合よりも小電流に対応する値である回転電機制御装置。
【請求項４】
前記通電制御部は、前記全オフ出現タイミングにおける各相の前記電流検出値に基づく異常判定により異常が検出された場合、前記対象デューティを前記全オフ閾値切替デューティ以下とし、かつ、３相変調にて前記コイルの通電を制限する請求項３に記載の回転電機制御装置。
【請求項５】
前記異常判定部は、前記電流検出素子のグランド側から電源側への逆流電流が逆流判定閾値より大きい場合、前記電流検出値に基づく異常判定をキャンセルする請求項１〜４のいずれか一項に記載の回転電機制御装置。
【請求項６】
前記電流検出素子は、シャント抵抗であって、
前記電流検出素子の両端電圧を増幅する差動増幅回路（４１０、４２０、４３０）、および、前記検出対象素子のオンオフ周期の１／２周期毎に前記差動増幅回路の出力をサンプルホールドするサンプルホールド回路（４１６、４２６、４３６）を有する増幅回路部（４０）を備える請求項１〜５のいずれか一項に記載の回転電機制御装置。
【手続補正２】
【補正対象書類名】明細書
【補正対象項目名】０００６
【補正方法】変更
【補正の内容】
【０００６】
制御部は、電流取得部（７０）、通電制御部（６１）、および、異常判定部（６５）を有する。電流取得部は、電流検出部から電流検出値を取得する。通電制御部は、電流検出値に基づいてコイルの通電を制御する。異常判定部は、電流検出値に基づく異常判定を行う。異常判定部は、対象デューティに応じ、電流検出値に基づく異常判定に用いる判定閾値を可変にする。第１の態様では、全相の検出対象素子がオンになり得る全オン出現タイミングにおける全相の電流和に基づく異常判定を行う場合、対象デューティが全オン閾値切替デューティ以上の場合の判定閾値は、対象デューティが全オン閾値切替デューティより小さい場合よりも小電流に対応する値である。第２の態様では、全相の検出対象素子がオフになり得る全オフ出現タイミングにおける各相の電流検出値に基づく異常判定を行う場合、対象デューティが全オフ閾値切替デューティ以下の場合の判定閾値は、対象デューティが全オフ閾値切替デューティより大きい場合よりも小電流に対応する値である。これにより、異常を適切に検出可能である。
【手続補正書】
【提出日】令和3年3月9日(2021.3.9)
【手続補正１】
【補正対象書類名】明細書
【補正対象項目名】００２９
【補正方法】変更
【補正の内容】
【００２９】
電磁アクチュエーター１０は、板状弾性部５０で移動可能に支持される可動体４０を、固定体３０に対して、一方向に移動するように駆動する。また、可動体４０の一方向と逆方向への移動は、板状弾性部５０の付勢力により行われる。
【手続補正２】
【補正対象書類名】明細書
【補正対象項目名】０１２８
【補正方法】変更
【補正の内容】
【０１２８】
制御装置１は、主駆動パルスをコイル２２に供給した後で、２パルス目以降の電流パルスの供給タイミングを、主駆動パルスによる振動の減衰期間中における正側の最大変位量（ピーク）から負側の最大変位量へ変位する間としている。すなわち、２パルス目以降の振動周期時において、振動周期における正側の最大変位量から負側の最大変位量へ（他方向側から一方側へ）の変位中に、可動体４０を、負側の最大変位量側（一方向側）へ付勢力を追加して、負側の最大変位量側への変位を加勢する。
【手続補正３】
【補正対象書類名】明細書
【補正対象項目名】０１３０
【補正方法】変更
【補正の内容】
【０１３０】
図１４は、本発明の実施の形態に係る制御装置の電磁アクチュエーターに入力される電磁アクチュエーター駆動信号の一例を示す図である。図１４は、主駆動パルスを供給した際の可動体（操作機器を含む）の変位量（図１１参照）において、ｎ＝２、電磁アクチュエーターの振動周期において２周期目に減衰追加パルスを供給するパターンを示す。
【手続補正４】
【補正対象書類名】明細書
【補正対象項目名】０１４１
【補正方法】変更
【補正の内容】
【０１４１】
図１６は、副駆動パルスとしてブレーキパルスと減衰追加パルスとをコイル２２に供給している。なお、ブレーキパルスの供給タイミングを決定するｎと、減衰追加パルスの供給タイミングを決定するｎとは異なってもよいし同じでもよい。例えば、ブレーキパルスの供給タイミングをｎ１＝２とし、主駆動電流パルスをオフにしてからＴ（ｎ−１）〜Ｔ（ｎ−１）＋１／２Ｔの範囲内として、振動の周期の２周期目に追加する。また、減衰追加パルスの供給タイミングをｎ２＝２とし、主駆動パルスをオフにしてからＴ（ｎ−１）＋１／２Ｔ〜Ｔ（ｎ−１）＋Ｔの範囲内として、振動の周期の２周期目に追加する。
【手続補正５】
【補正対象書類名】明細書
【補正対象項目名】０１４６
【補正方法】変更
【補正の内容】
【０１４６】
これに対して、制御装置１は、２パルス目以降の電流パルスの入力タイミングに、遅延時間ＬＴを設けている。すなわち、主駆動パルスを供給した後で、２パルス目の電流パルスであるブレーキパルス或いは減衰追加パルスを供給する際に、主駆動パルスをオフにしたタイミングＴｓから遅延時間ＬＴとなる時間を空けたタイミングで行う。
すなわち、ブレーキパルスを供給する場合では、主駆動パルスをオフ（タイミングＴｓ）にした後で所定の遅延時間ＬＴが経過してからＴ（ｎ−１）〜Ｔ（ｎー１）＋１／２Ｔの範囲のタイミングで行う。また、減衰追加パルスを供給する場合では、主駆動パルスをオフ（タイミングＴｓ）にした後で所定の遅延時間ＬＴが経過してからＴ（ｎ−１）＋１／２Ｔ〜Ｔ（ｎー１）＋Ｔの範囲のタイミングで行う。
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
識別情報の可変表示を行い遊技者にとって有利な有利状態に制御可能であり、確率に関する設定値を設定可能な遊技機であって、
設定値の設定が可能な設定許可状態に制御可能な状態制御手段と、
識別情報の可変表示を実行可能な可変表示手段と、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
設定値を変更するための設定値変更処理を含む複数の処理を実行する際に、処理ごとに、前記操作手段が操作されたことを判定することなく、前記特定情報が記憶されていると判定したことにもとづいて処理を実行する処理実行手段と、を備え、
前記可変表示手段は、前記設定許可状態に制御されているときに、識別情報の可変表示とは異なる表示制御を行う、
ことを特徴とする遊技機。
【手続補正２】
【補正対象書類名】明細書
【補正対象項目名】０００６
【補正方法】変更
【補正の内容】
【０００６】
前記課題を解決するために、本発明の手段Ａに記載の遊技機は、
識別情報の可変表示を行い遊技者にとって有利な有利状態に制御可能であり、確率に関する設定値を設定可能な遊技機であって、
設定値の設定が可能な設定許可状態に制御可能な状態制御手段と、
識別情報の可変表示を実行可能な可変表示手段と、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
設定値を変更するための設定値変更処理を含む複数の処理を実行する際に、処理ごとに、前記操作手段が操作されたことを判定することなく、前記特定情報が記憶されていると判定したことにもとづいて処理を実行する処理実行手段と、を備え、
前記可変表示手段は、前記設定許可状態に制御されているときに、識別情報の可変表示とは異なる表示制御を行う、
ことを特徴とする。
他の遊技機は、
識別情報の可変表示を実行し、遊技者にとって有利な有利状態に制御可能であり、前記有利状態に制御される確率に関する設定値を設定可能な遊技機であって、
遊技の進行を制御可能な遊技制御手段と、
前記識別情報の可変表示として、発光手段を発光させることが可能な可変表示手段と、
遊技機への電源供給が開始されるときに操作されたことにもとづいて初期化処理を実行可能に設けられた操作手段と、
遊技機への電源供給が開始されたときに前記操作手段が操作されたことを示す特定情報を記憶可能な特定情報記憶手段と、
設定値の変更に関連する設定値変更関連処理を含む複数の処理を実行する際に、処理ごとに、前記操作手段が操作されたことを判定することなく、前記特定情報が記憶されていると判定したことにもとづいて処理を実行する処理実行手段と、を備え
前記可変表示手段は、前記設定変更関連処理が実行されているときに、前記識別情報の可変表示を実行しているときとは異なる発光態様にて前記発光手段を発光させる、
ことを特徴とする。
本発明の手段１に記載の遊技機は、
遊技媒体を用いた遊技が可能な遊技機（例えば、パチンコ遊技機１）であって、
遊技を制御可能な遊技制御手段（例えば、ＣＰＵ１０３が図５に示す特別図柄プロセス処理を実行する部分）と、
遊技の進行に応じて遊技媒体を付与する遊技媒体付与手段（例えば、遊技球が第１始動入賞口や第２始動入賞口に入賞したことにもとづいて３個の賞球が払い出される部分や、遊技球が一般入賞口１０入賞したことにもとづいて１０個の賞球が払い出される部分や、遊技球が大入賞口に入賞したことにもとづいて１４個の賞球が払い出される部分）と、
前記遊技媒体付与手段によって付与された遊技媒体の数に関する情報（例えば、ベース値）を表示可能な情報表示手段（例えば、表示モニタ２０７ＳＧ０２９）と、
を備え、
前記遊技制御手段は、特定事象の発生（例えば、図９−２に示す遊技停止エラーの発生）に応じて遊技が不能な遊技不能状態に制御可能であって（例えば、遊技停止エラーの発生を示す遊技停止フラグがセットされたことによりＣＰＵ１０３が図１０−１に示すＳ２１〜Ｓ２７の処理を実行不可能となる部分）、
前記情報表示手段は、前記遊技不能状態に制御されているときにおいても前記情報の表示を継続する（例えば、図１０−１に示すように、遊技停止エラーの発生を示す遊技停止フラグがセットされてもＣＰＵ１０３が０１１ＳＧＳ３０４の性能表示処理を実行することで表示モニタ２０７ＳＧ０２９においてベース値の表示が継続される部分）ことを特徴としている。
この特徴によれば、遊技不能状態においても、情報を確認することができる。
【手続補正書】
【提出日】令和3年4月5日(2021.4.5)
【手続補正１】
【補正対象書類名】特許請求の範囲
【補正対象項目名】全文
【補正方法】変更
【補正の内容】
【特許請求の範囲】
【請求項１】
アミノ酸配列ＧＲＴＦＳＤＹＶＭＧ（配列番号６５）またはＤＹＶＭＧ（配列番号６５のアミノ酸６−１０）を含むＣＤＲ１；
アミノ酸配列ＡＩＳＥＳＧＧＲＴＨＹＡＤＳＶＫＧ（配列番号６６）またはＡＩＳＥＳＧＧＲＴＨ（配列番号６６のアミノ酸１−１０）を含むＣＤＲ２；および
アミノ酸配列ＴＬＬＷＷＴＳＥＹＡＰＩＫＡＮＤＹＤＹ（配列番号６７）を含むＣＤＲ３、を含み、
そして、半減期エクステンダーおよび／またはＣ末端エクステンダーを含んでもよい、ＬＡＧ３に結合する免疫グロブリン単一可変ドメイン（ＩＳＶＤ）を含むＬＡＧ３結合性物質。
【請求項２】
免疫グロブリン単一可変ドメインが、アミノ酸配列：
ＥＶＱＬＶＥ  ＳＧＧＧＶＶＱＰＧＧ  ＳＬＲＬＳＣＡＡＳＧ  ＲＴＦＳＤＹＶＭＧＷ  ＦＲＱＡＰＧＫＥＲＥ  ＦＶＡＡＩＳＥＳＧＧ  ＲＴＨＹＡＤＳＶＫＧ  ＲＦＴＩＳＲＤＮＳＫ  ＮＴＬＹＬＱＭＮＳＬ  ＲＰＥＤＴＡＬＹＹＣ  ＡＴＴＬＬＷＷＴＳＥ  ＹＡＰＩＫＡＮＤＹＤ  ＹＷＧＱＧＴＬＶＴＶ  ＳＳ  （配列番号６４）を含み、
Ｅ１Ｄ変異を含んでもよく、
そして、半減期エクステンダーおよび／またはＣ末端エクステンダーを含んでもよい、請求項１のＬＡＧ３結合性物質。
【請求項３】
Ｃ末端エクステンダーを含む請求項１または２の結合性物質であって、ここでＣ末端エクステンダーがアラニンである、前記結合性物質。
【請求項４】
請求項１〜３のいずれか一項の結合性物質を含み、さらなる治療剤を伴ってもよい、注入装置または容器。
【請求項５】
請求項１〜３のいずれか一項の結合性物質をコードする、ポリヌクレオチド。
【請求項６】
請求項５のポリヌクレオチドを含む、ベクター。
【請求項７】
請求項５〜６のいずれか一項のポリヌクレオチドまたはベクターを含む、宿主細胞。
【請求項８】
結合性物質をコードするポリヌクレオチドを宿主細胞内に導入すること、および宿主細胞を培地中で前記ポリヌクレオチドからの前記結合性物質の発現に好都合な条件下で培養することを含み、そして、前記宿主細胞および／または前記培地から結合性物質を精製することを含んでもよい、請求項１〜３のいずれか一項の結合性物質を作成する方法。
【請求項９】
請求項８の方法により生産される、結合性物質。
【請求項１０】
ＬＡＧ３を、さらなる治療剤を伴ってもよい請求項１〜３のいずれか一項の結合性物質と接触させることを含む、ＬＡＧ３がＭＨＣクラスＩＩに結合することを防ぐ方法。
【請求項１１】
がんの治療用の医薬の調製のための、上記請求項１〜３のいずれか一項に記載の結合性物質の使用。
【請求項１２】
感染性疾患の治療用の医薬の調製のための、上記請求項１〜３のいずれか一項に記載の結合性物質の使用。
【請求項１３】
がんが、転移性がん、固形腫瘍、血液がん、白血病、リンパ腫、骨肉腫、横紋筋肉腫、神経芽細胞腫、腎臓がん、白血病、腎臓移行上皮がん、膀胱がん、ウィルムスがん、卵巣がん、膵臓がん、乳がん、前立腺がん、骨がん、肺がん、非小細胞がん、胃がん、結腸直腸がん、子宮頸がん、滑膜肉腫、頭頸部がん、扁平上皮癌、多発性骨髄腫、腎臓細胞がん、網膜芽細胞腫、肝芽腫、肝細胞癌、黒色腫、腎臓のラブドイド腫瘍、ユーイング肉腫、軟骨肉腫、脳がん、神経膠芽腫、髄膜腫、脳下垂体腺腫、前庭神経鞘腫、原始神経外胚葉性腫瘍、髄芽腫、星状細胞腫、退形成性星状細胞腫、乏突起膠細胞腫、上衣腫、脈絡叢乳頭腫、真性多血症、血小板血症、特発性骨髄線維症（ｉｄｉｏｐａｔｈｉｃ  ｍｙｅｌｆｉｂｒｏｓｉｓ）、軟組織肉腫、甲状腺がん、子宮内膜がん、カルチノイドがんまたは肝臓がん、乳がんまたは胃がんである、請求項１１の使用。
【請求項１４】
感染性疾患が、細菌感染症、ウイルス感染症または真菌感染症である、請求項１２の使用。
【請求項１５】
対象に結合性物質を伴ったさらなる治療剤または治療手法が投与される、請求項１１〜１４のいずれか一項の使用。